(57)【要約】【課題】  画像読取ユニットへのフレキシブルフラットケーブルの取付け・取外し作業の作業性を向上させる。【解決手段】  原稿が載置される原稿台と、原稿台の下方を移動可能である画像読取ユニットと、画像読取ユニットから出力された画像信号を伝送するフレキシブルフラットケーブルと、フレキシブルフラットケーブルを保持し、画像読取ユニットに取り付けられる保持部材とを有し、画像読取ユニットの移動方向において、画像読取ユニットの接続部と、画像読取ユニットを挟んだ反対側に、フレキシブルフラットケーブルの湾曲部が形成される。【選択図】  図１
2014036365.tif 000002
【特許請求の範囲】
【請求項１】
原稿が載置される原稿台と、
前記原稿台の下方を移動可能であり、前記原稿台に載置された原稿からの反射光を受光し、画像信号を出力する画像読取ユニットと、
前記画像読取ユニットから出力された画像信号を伝送するフレキシブルフラットケーブルと、
前記フレキシブルフラットケーブルを保持し、前記画像読取ユニットに取り付けられる保持部材とを有する画像読取装置であって、
前記画像読取ユニットは、前記フレキシブルフラットケーブルが接続される接続部を有し、
前記画像読取ユニットの移動方向において、前記画像読取ユニットの接続部と、前記画像読取ユニットを挟んだ反対側に、前記フレキシブルフラットケーブルの湾曲部が形成されることを特徴とする画像読取装置。
【請求項２】
前記保持部材は前記画像読取ユニットの底面に取り付けられることを特徴とする請求項１記載の画像読取装置。
【請求項３】
前記保持部材は爪部とスナップフィット部とを有し、該爪部と該スナップフィット部とにより前記画像読取ユニットに取り付けられることを特徴とする請求項１または２記載の画像読取装置。
【請求項４】
前記画像読取ユニットの移動方向において、前記画像読取ユニットに取り付けられた前記保持部材の前記爪部は前記画像読取ユニットに接続される接続部と同一側に配置され、前記画像読取ユニットに取り付けられた前記保持部材の前記スナップフィット部は前記フレキシブルフラットケーブルの前記湾曲部と同一側に配置されていることを特徴とする請求項１乃至３のいずれかに記載の画像読取装置。
【請求項５】
前記保持部材は、前記画像読取ユニットに取り付けられた際に、前記フレキシブルフラットケーブルを前記画像読取ユニットの底面から前記原稿台の方向に曲げる保持部を有し、
前記画像読取ユニットに取り付けられた前記保持部材の前記保持部は前記フレキシブルフラットケーブルの前記湾曲部と同一側に配置されていることを特徴とする請求項２乃至４のいずれかに記載の画像読取装置。
【請求項６】
前記保持部材に保持されたフレキシブルフラットケーブルの前記接続部側のフレキシブルフラットケーブルの位置に対して前記湾曲部側のフレキシブルフラットケーブルの位置が、前記画像読取ユニットの移動方向とは直交する方向において離れており、
前記画像読取ユニットの移動方向とは直交する方向において、前記フレキシブルフラットケーブルの湾曲部が前記画像読取ユニットの読取領域の外に配置されることを特徴とする請求項１乃至５のいずれかに記載の画像読取装置。
【発明の詳細な説明】
【技術分野】
【０００１】
本発明はフレキシブルフラットケーブルを用いた画像読取装置に関する。
【背景技術】
【０００２】
従来から知られている画像読取装置について図９および図１０を用いて説明する。
【０００３】
画像読取装置の枠体９０１の内部には枠体９０１内部を往復移動可能である画像読取ユニット９０２が設けられている。画像読取ユニット９０２には、ＣＣＤ等のイメージセンサーが組み込まれたセンサー基板、原稿画像を照らす照明部、原稿からの反射光をイメージセンサーに結像するレンズが設けれられている。そして、画像読取ユニット９０２は原稿台ガラス９０３下を移動しながら、原稿台ガラス９０３上に載置された原稿を読み取る。
【０００４】
画像読取ユニット９０２は枠体９０１内に配設されたモーターの駆動力によって往復移動する。本明細書では、画像読取ユニット９０２が往復移動する方向を副走査方向、この副走査方向と直交する方向（画像読取ユニットの長手方向）を主走査方向と呼ぶ。
【０００５】
図９において、センサー基板は画像読取ユニット９０２の右側に設けられている。センサー基板１００３およびフレキシブルフラットケーブル９０４（以下、ＦＦＣと呼ぶ）を観察できる視点からの画像読取ユニット９０２の斜視図を図１０に示す。
【０００６】
画像読取装置は、モーターに制御信号を与えて画像読取ユニット９０２を移動させたり、画像読取ユニット９０２から出力された画像信号を処理するためのコントローラー基板（不図示）を備えている。
【０００７】
そして、コントローラー基板と画像読取ユニット９０２との間で制御信号および画像信号の通信を行うために、画像読取ユニット９０２とコントローラ基板はＦＦＣ９０４によって接続されている。ＦＦＣ９０４の一方の端部は、画像読取装置９０２のセンサー基板１００３に接続されている。
【０００８】
図９において、画像読取ユニット９０２の左側にＦＦＣ９０４の湾曲部１００１を設けると、画像読取ユニット９０２が往復移動する際にＦＦＣ９０４が座屈することがなくなり、画像読取ユニット９０２をスムーズに移動させることが可能となる。
【０００９】
従来技術では、画像読取ユニット９０２の底面にＦＦＣ９０４をガイドするためのガイド部１００２が設けられている。センサー基板１００３に接続されたＦＦＣ９０４の一部が、ガイド部１００２により画像読取ユニット９０２の底面で保持され、ＦＦＣ９０４は図９において副走査方向における画像読取ユニット９０２の左側に案内される。そして、図９において副走査方向における画像読取ユニット９０２の左側にＦＦＣの湾曲部１００１が形成される。
【先行技術文献】
【特許文献】
【００１０】
【特許文献１】特開２０１０−０９３６４５号公報
【発明の概要】
【発明が解決しようとする課題】
【００１１】
しかしながら、上記従来の構成を有する画像読取装置においては、画像読取ユニットの底面に設けられたガイド部にＦＦＣを案内させる構成であったため、画像読取ユニットへのＦＦＣの取付け時や、取外し時の作業性に改善の余地があった。
【００１２】
また、ＦＦＣの取付作業性が悪いため、ＦＦＣをガイド部に案内させる作業の中で、ＦＦＣにシワや傷が発生させてしまう可能性があった。このシワや傷は場合、ＦＦＣの断線を引き起こす可能性もある。
【００１３】
本発明は、画像読取ユニットへのフレキシブルフラットケーブルの取付け・取外し作業の作業性を向上させることを目的とする。
【課題を解決するための手段】
【００１４】
本発明は上記目的を達成するために、原稿が載置される原稿台と、前記原稿台の下方を移動可能であり、前記原稿台に載置された原稿からの反射光を受光し、画像信号を出力する画像読取ユニットと、前記画像読取ユニットから出力された画像信号を伝送するフレキシブルフラットケーブルと、前記フレキシブルフラットケーブルを保持し、前記画像読取ユニットに取り付けられる保持部材とを有する画像読取装置であって、前記画像読取ユニットは、前記フレキシブルフラットケーブルが接続される接続部を有し、前記画像読取ユニットの移動方向において、前記画像読取ユニットの接続部と、前記画像読取ユニットを挟んだ反対側に、前記フレキシブルフラットケーブルの湾曲部が形成されることを特徴とする。
【発明の効果】
【００１５】
本発明によれば、画像読取ユニットへのフレキシブルフラットケーブルの取付け・取外し作業の作業性を向上させることができる。
【図面の簡単な説明】
【００１６】
【図１】保持部材１０１の概略図である。
【図２】ＡＤＦを取り付けた画像読取装置の構成を示した図である。
【図３】画像読取装置のＡＤＦを開いた状態を示した図である。
【図４】画像読取装置２０２の断面図である。
【図５】保持部材１０１を画像読取ユニット４０１に取付ける動作を説明するための図である。
【図６】画像読取装置４０１に取り付けられた保持部材１０１を原稿台３０１側から見た図である。
【図７】保持部１０７を有する保持部材１０１を用いた場合のＦＦＣの屈曲部の状態を説明するための図である。
【図８】保持部１０７が無い保持部材１０１を用いた場合のＦＦＣの屈曲部の状態を説明するための図である。
【図９】従来の画像読取装置の断面図である。
【図１０】従来の画像読取ユニットとＦＦＣとの関係を示した図である。
【発明を実施するための形態】
【００１７】
本発明にかかる実施形態について図面を用いて説明する。ただし、以下に説明する実施形態は、本発明を具体化した一例であって、本発明の技術的範囲を限定するものではない。
【００１８】
図２、図３および図４を用いて本実施形態に係る画像読取装置２０２の概略構成について説明する。なお、画像読取装置は実施形態の一例に過ぎず、画像読取装置を備えたファクシミリ装置や複合機などにも本発明を適用することができる。
【００１９】
図２は自動原稿搬送装置２０１（以下、ＡＤＦと呼ぶ）を備えた画像読取装置２０２の概略図である。図３は画像読取装置２０２においてＡＤＦ２０１を開いた状態の概略図である。
【００２０】
図２に示すように、画像読取装置２０２の上方にはＡＤＦ２０１が取り付けられている。ＡＤＦ２０１は複数枚の原稿を載置可能である給紙トレイ２０３を有する。給紙トレイ２０３に載置された原稿は１枚ずつ分離され、画像読取位置に搬送され、排紙トレイに２０４に排紙される。原稿は、搬送されながら、画像読取位置の下の位置にいる画像読取ユニット４０１によって読み取られる（以下、流し読みと呼ぶ）。
【００２１】
図３に示すように、ＡＤＦ２０１は画像読取装置２０２に対して開閉可能である。原稿台３０１はガラス等の透明部材によって形成されており、ＡＤＦ２０１を画像読取装置２０２に対して開けることにより、原稿台３０１に、原稿や厚物原稿（たとえば書籍）を載置することができる。ＡＤＦ２０１を画像読取装置２０２に対して閉じることにより、原稿台３０１上に載置された原稿は、ＡＤＦ２０１の底面に設けられた圧板３０２によって押圧される。画像読取ユニット４０１は原稿台３０１の下を副走査方向に移動しながら原稿台３０１に載置された原稿を読み取る（以下、固定読みと呼ぶ）。
【００２２】
図４は画像読取装置２０２の断面図である。画像読取ユニット４０１は枠体４０２の内部に配置され、副走査方向４０３に往復移動可能である。画像読取ユニット４０１は、画像読取位置の原稿を照明するＬＥＤ等の照明部、ＣＣＤ等のイメージセンサー、イメージセンサーが組み込まれたセンサー基板４０４、および照明部によって照明された原稿からの反射光をイメージセンサに結像する光学レンズなどを有する。センサー基板４０４は、図４において画像読取ユニット４０１の副走査方向右側に固定されている。イメージセンサーは照明部によって照明された原稿からの反射光を受光し、画像信号を生成する。画像読取ユニット４０１は、生成された画像信号を出力する。画像読取装置４０１は、モーターに制御信号を与えて画像読取ユニット４０１を移動させたり、画像読取ユニット４０１から出力された画像情報を処理するためのコントローラー基板（不図示）を備えている。そして、コントローラー基板と画像読取ユニット４０１との間で制御信号および画像信号の通信を行うために、画像読取ユニット４０１とコントーら基板はＦＦＣ（フレキシブルフラットケーブル）１０２によって接続されている。ＦＦＣ１０２の一方の端部は、センサー基板４０４の接続部１０３に接続されており、他方の端部はコントローラー基板に接続されている。画像読取ユニット４０１のセンサー基板４０４から出力される画像情報はＦＦＣ１０２を介してコントローラー基板に伝送され、処理される。
【００２３】
次に、画像読取ユニット４０１とＦＦＣ１０２の位置関係について説明する。センサー基板４０４が、図４において画像読取ユニット４０１の副走査方向右側に固定されているので、ＦＦＣ１０２とセンサー基板４０４の接続部１０３も、図４において画像読取ユニット４０１の副走査方向右側に設けられている。
【００２４】
接続部１０３に接続されたＦＦＣ１０２は、画像読み取りの妨げにならないように、画像読取ユニット４０１の底面を通って、副走査方向において画像読取ユニット４０１の反対側に案内される。さらに、画像読取ユニット４０１の副走査方向４０３の往復移動によってＦＦＣ１０２が座屈しないようにするために、ＦＦＣに湾曲部１０６を設ける必要がある。
【００２５】
図１０に示す従来技術では画像読取ユニットの底面に設けられたガイド部を用いてＦＦＣが画像読取ユニットの底面に取り付けられる。これに対して、本実施形態では、保持部材１０１を用いてＦＦＣ１０２が画像読取ユニット４０１に取付けられる。図１は保持部材１０１の概略図である。
【００２６】
ＦＦＣ１０２は保持部材１０１に両面テープ等により取り付けられる。ＦＦＣ１０２が取り付けられている保持部材１０１は、保持部材１０１に設けられた爪部１０４とスナップフィット部１０５によって、画像読取ユニット４０１に取付けられる。
【００２７】
このように簡単に取り付け可能な保持部材１０１を使用することにより、図１０に示す従来の装置を組み立てる際に行っていた画像読取ユニットの底面に設けられたガイド部１００２にＦＦＣを案内する作業が不要となる。このため、従来の装置においてＦＦＣをガイド部１０２に案内させる作業で発生する、ＦＦＣにしわができたり、ＦＦＣに傷を付けることを抑制することができる。つまり、保持部材１０１を用いることにより、組み立て作業において、ＦＦＣにダメージを与えることを抑制し、かつ画像読取ユニットへＦＦＣを簡単に取り付け可能とすることができる。
【００２８】
図１及び図５を用いて保持部材１０１の爪部１０４とスナップフィット部１０５の位置関係を説明する。図５は画像読取ユニット４０１に保持部材１０１を取付ける際の動作を示す図である。
【００２９】
ＦＦＣ端部１０８は、画像読取ユニット４０１の接続部１０３に接続されるＦＦＣ１０２の端部である。保持部材１０１の爪部１０４は、ＦＦＣ端部１０８と同一側に設けられている。一方、保持部材１０１のスナップフィット部１０５は、爪部１０４とは反対側に設けられている。爪部１０４の反対側は、ＦＦＣの湾曲部１０６が設けられる側である。
【００３０】
このように爪部１０４とスナップフィット部１０５を配置することにより、ＦＦＣ１０８が接続部１０３に接続されている、いないに関わらず、容易に保持部材１０１の付け外しすることができる。
【００３１】
保持部材１０１を画像読取装置４０１に取り付ける際、作業者は、まず、爪部１０４を画像読取装置４０１の所定箇所にひっかける。その後、保持部材回動方向５０１に示されるように、保持部材１０１を回動させ、スナップフィット部１０５を画像読取装置４０１の所定箇所にフィットさせる。これらの作業により保持部材１０１を画像読取装置４０１への取り付けることができる。スナップフィット部１０５がＦＦＣの湾曲部１０６側に設けられているので、保持部材回動方向５０１に示されるように保持部材１０１を回動してもＦＦＣによって引っ張られることがない。
【００３２】
保持部材１０１を画像読取装置４０１から取り外す際、作業者は、まず、スナップフィット部１０５を画像読取装置４０１から外す。その後、保持部材回動方向５０１に示されるように、保持部材１０１を回動させた後、爪部１０４を画像読取装置４０１から外す。爪部１０４がＦＦＣ端部１０８と同一側に設けられているので、保持部材１０１を画像読取装置４０１から取り外すまで、ＦＦＣ端部１０８と画像読取装置４０１の接続部１０３との位置関係を維持することができる。つまり、ＦＦＣ端部１０８が接続部１０３に接続されていたとしても、保持部材１０１を画像読取装置４０１から取り外すことができる。そして、保持部材１０１を取り外した後に接続部１０３からＦＦＣ端部１０８を取り外すことができるので、ＦＦＣ端部１０８の取り外しも簡単に行うことができる。さらに、スナップフィット部１０５を画像読取装置４０１から取り外す際に使うような大きな力が接続部１０３にかかるのを可能性を低減することができ、ＦＦＣ端部１０８および接続部１０３が傷つく可能性を低減させることができる。
【００３３】
図６は、画像読取装置２０２の枠体４０２内に配置されている画像読取装置４０１に取り付けられた保持部材１０１を、原稿台３０１側から見た図である。なお、図６では、ＦＦＣ１０２を湾曲部１０６、保持部材１０１内の曲げ部６０５、湾曲以外の部分６０４のそれぞれに符号をつけている。
【００３４】
図６（Ｂ）に示すように、画像読取装置２０２の枠体４０２、画像読取ユニット４０１、ＦＦＣと画像読取領域４０２（すなわち原稿台３０１の領域）が配置されている。ＦＦＣが原稿台３０１に接触すると、ゴミなどの異物が原稿台３０１に付着して画質劣化の原因となる。そこで、本実施形態では、図６（Ａ）に示されるように、画像読取領域６０２内に配置されている画像読取ユニット４０１の接続部１０３に接続されたＦＦＣを、主走査方向６０３において画像読取領域６０２外に、保持部材１０１を用いてずらす。主走査方向６０３は副走査方向４０３に直交する方向である。具体的には、保持部材１０１の中でＦＦＣを２回折り曲げることにより、湾曲部側のＦＦＣ６０４が画像読取領域６０２の外に配置する。接続部側のＦＦＣの位置に対して前記湾曲部側のフレキシブルフラットケーブル１０６の位置が、主走査方向において所定距離６０１ずらす。このようにすることにより、保持部材１０１からでているＦＦＣ（ＦＦＣ湾曲部１０６およびＦＦＣ湾曲以外の部分６０４）を画像読取領域６０２外に配置することができ、ＦＦＣが原稿台３０１に接触することを防ぐことができる。
【００３５】
次に、保持部材１０１に保持部１０７を設けることの有効性を説明する。図７および図８は保持部１０７の有無が、画像読取ユニット４０１が副走査方向４０３に往復移動がＦＦＣ１０２の屈曲部７０１へ与える影響を説明するための図である。
【００３６】
図７に示す本実施形態の保持部材１０１は原稿台３０１に向かって伸びる保持部１０７を有する。画像読取ユニット４０１の底面からでたＦＦＣは、保持部１０７によって上方（原稿台３０１方向）に曲げられる。
【００３７】
ＦＦＣの組立作業時での作業性の視点からは、図８に示すように、保持部１０７がない保持部材を用いることも可能である。しかし、画像読取ユニットの往復移動に対するＦＦＣの耐久寿命を延ばすために、保持部１０７を有する保持部材１０１を用いることが有効である。
【００３８】
図７および図８に示すように、画像読取ユニット４０１が副走査方向４０３に往復移動する際、ＦＦＣには屈曲部７０１、８０１が発生する。図７に示すように、保持部１０７を設けた場合、屈曲部７０１の屈曲角度は、屈曲角度７０２になる。一方、図８に示すように、保持部１０７を設けない場合、繰り返し屈曲部８０１の屈曲角度は、屈曲角度８０２になる。屈曲角度が大きければ画像読取ユニットの往復移動の際に、繰り返し屈曲部に生じる疲労は大きくなる。図７および図８から明らかであるように、屈曲角度７０２は屈曲角度８０２よりも小さい。よって、保持部１０７を設けることにより、屈曲部に生じる疲労を低減させることができ、ＦＦＣの耐久寿命を延ばすことができる。
【符号の説明】
【００３９】
１０１  保持部材
１０２  ＦＦＣ（フレキシブルフラットケーブル）
１０３  接続部
１０４  爪部
１０５  スナップフィット部
１０７  保持部
【図１】
2014036365.tif 000003
【図２】
2014036365.tif 000004
【図３】
2014036365.tif 000005
【図４】
2014036365.tif 000006
【図５】
2014036365.tif 000007
【図６】
2014036365.tif 000008
【図７】
2014036365.tif 000009
【図８】
2014036365.tif 000010
【図９】
2014036365.tif 000011
【図１０】
2014036365.tif 000012